(57)【要約】      （修正有）【課題】手数を掛けずに幼児の足を確実に覆うことのできる幼児用ケープを提供する。【解決手段】幼児用ケープ(1)は、幼児の身体を覆うケープ本体(10)において、ケープ本体(10)の上方左右両端部にケープ本体(10)を装着対象に装着するための装着具(30)が取付けられ、ケープ本体(10)の下方部を左半体部(11)と右半体部(12)とに分かつ裾スリット(14)が形成され、かつ左半体部(11)および右半体部(12)の裏面に幼児の足を挿入する足入れ部(17)(18)が形成されてなる。【選択図】図２
0003115088.tif 000002
【実用新案登録請求の範囲】
【請求項１】
幼児の身体を覆うケープ本体において、前記ケープ本体の上方左右両端部に該ケープ本体を装着対象に装着するための装着具が取付けられ、前記ケープ本体の下方部を左半体部と右半体部とに分かつ裾スリットが形成され、かつ前記左半体部および右半体部の裏面に幼児の足を挿入する足入れ部が形成されてなることを特徴とする幼児用ケープ。
【請求項２】
前記足入れ部は下端を閉じた袋状である請求項１に記載の幼児用ケープ。
【請求項３】
前記ケープ本体の上縁部にフードが設けられている請求項１または２に記載の幼児用ケープ。
【考案の詳細な説明】
【技術分野】
【０００１】
この考案は、幼児の身体を覆う幼児用ケープに関する。
【背景技術】
【０００２】
乳幼児をくるむ防寒用ケープとして、幼児の着用させるのではなく、矩形のケープ本体の上部左右端に取り付けたクリップでベビーキャリアやベビーカーに装着するものがある。本出願人は、先にこの種のケープを提案した（特許文献１参照）。
【０００３】
特許文献１に記載されたケープは、フード付きの矩形ケープ本体の裾部にセンタースリットを設けて左右の半体部に分かち、それぞれの両端を係止して筒形に形成できるようにしたものである。前記センタースリットにより、リュック式のベビーキャリアを横抱きに転用した場合やベビーカー等のＴ字形のシートベルトを装着した状態でも、両足をケープでくるむことができる。
【特許文献１】特願２００３−９７６４２号（特開２００４−３０８４号公報）
【考案の開示】
【考案が解決しようとする課題】
【０００４】
しかしながら、左右の半体部をそれぞれ筒形にするのは面倒である。また、上述したケープは裾部を係止するものであるから、裾から離れるほど筒形が緩み、活発な幼児の動きによってケープと幼児との間に隙間ができるおそれがある
【課題を解決するための手段】
【０００５】
本考案は、上述した現状に鑑み、手数を掛けずに幼児の足を確実に覆うことのできる幼児用ケープの提供を目的とする。
【０００６】
即ち、本考案の幼児用ケープは下記〔１〕〔２〕〔３〕に記載の構成を有する。
〔１〕  幼児の身体を覆うケープ本体において、前記ケープ本体の上方左右両端部に該ケープ本体を装着対象に装着するための装着具が取付けられ、前記ケープ本体の下方部を左半体部と右半体部とに分かつ裾スリットが形成され、かつ前記左半体部および右半体部の裏面に幼児の足を挿入する足入れ部が形成されてなることを特徴とする幼児用ケープ。
〔２〕  前記足入れ部は下端を閉じた袋状である前項１に記載の幼児用ケープ。
〔３〕  前記ケープ本体の上縁部にフードが設けられている前項１または２に記載の幼児用ケープ。
【考案の効果】
【０００７】
〔１〕の考案によれば、手数を掛けずに幼児の身体を足まで確実に覆うことができ、かつ足の動きを妨げない。
【０００８】
〔２〕の考案によれば、裾からの風の進入を防いで保護効果を高めることができる。
【０００９】
〔３〕の考案によれば、頭部の保護効果を高めることができる。
【考案を実施するための最良の形態】
【００１０】
図１および図２に、この考案の幼児用ケープの一実施形態を示す。図１は、幼児用ケープ(1)を外面側から見た全体図、図２は裏面側から見た全体図である。
【００１１】
これらの図に示す様に、幼児用ケープ(1)はケープ本体(10)、装着具(30)、フード(40)により構成されている。
【００１２】
ケープ本体(10)は、ポリエステル製起毛布からなる長方形の左半体部(11)と右半体部(12)とが、上端から下方へ約２／３まで縫合されることにより、破線で示す展開状態において全体が略正方形に形成されている。また、縫い残された下方部において、左半体部(11)の持ち出し(13)の上に右半体部(12)を重ねた裾スリット(14)が形成され、左半体部(11)と右半体部(12)とが分かたれている。また、前記ケープ本体(10)の上端縁において、中央部のフード縫着部を除く部分がゴムテープ(15)の挿通により伸縮可能となされ、実線で示す縮み勝手となされている。
【００１３】
前記裾スリット(14)は、左半体部(11)の持ち出し(13)のおもて面に縫着された雄型面ファスナ(20)と、右半体部(12)の裏面に縫着され前記雄型面ファスナ(20)と対をなす雌型面ファスナ(21)との係合−係合解除によって開閉自在となされている。また、持ち出し(13)によって重なり部分を有するため、開状態においても、左右の半体部(11)(12)を強制的に離さない限り隙間が開くことはない。
【００１４】
図２に示すように、ケープ本体(10)の裏面において、左半体部(11)および右半体部(12)の下方部に袋状の足入れ部(17)(18)が形成されている。これらの足入れ部(17)(18)は、同形の起毛布を重ねて上端辺の除く３辺を縫合することにより、上端に開口部(17a)(18a)を有する袋状に形成したものである。
【００１５】
また、前記ケープ本体(10)の左半体部(11)および右各半体部(12)において、それぞれ左右方向の略中間で上端から約１０ｃｍ下がった位置に、縦方向のアームスリット(16)(16)が穿設され、ケープ(1)で覆われた幼児はこれらのアームスリット(16)(16)から手を出すことができる（図５参照）。
【００１６】
装着具はクリップ(30)(30)からなり、ケープ本体(10)の上方左右両端にそれぞれ外側に突出する方向に、細幅テープ(31)を介して縫着されている。
【００１７】
フード(40)は、ケープ本体(10)の上端中央に縫着され、必要に応じて幼児の頭部に被せられる。また、前記フード(40)の外面側の中央上部にループ(41)が縫着される一方、ケープ本体(10)の中央部に前記ループ(41)を掛け留めるためのボタン(42)が取り付けられている。これらのループ(41)とボタン(42)の掛け留めにより、フード(40)はケープ本体(10)に沿わせた状態に係止される。
【００１８】
次に、前記幼児用ケープ(1)の使用方法について、図３〜５を参照しつつ説明する。
（使用例１）
本使用例では、使用者がベビーキャリア(50)を装着して幼児を横抱きする場合について説明する。
【００１９】
前記ベビーキャリア(50)は、頭部サポート部(56)、背当て部、股当て部および前当て部を有するキャリア本体(54)と、キャリア本体(54)の背当て部から股当て部に架け渡された２本のショルダーベルト(55)(55)とを備える。
【００２０】
前記ベビーキャリア(50)のキャリア本体(54)内に幼児を収容し、２本のショルダーベルト(55)(55)を一括してたすき掛けにし、幼児を収容したキャリア本体(54)を水平近くまで傾けて横抱きする。
【００２１】
前記幼児用ケープ(1)の左右のクリップ(30)(30)をベビーキャリア(50)のショルダーベルト(55)(55)に挟み留める。そして、面ファスナ(20)(21)の係合を解除して裾スリット(14)を開き、股当て部から引き出されたショルダーベルト(55)(55)を裾スリット(14)の間に差し込み、幼児の両足をケープ本体(10)の足入れ部(17)(18)に挿入する。幼児の両足は袋状の足入れ部(17)(18)内に入れられているため、ケープ本体(10)が幼児の動きによって跳ね飛ばされたり、風でめくれることもない。しかも、足入れ部(17)(18)内では自由に足を動かすことができる。また、ケープ本体(10)の上縁部はゴムテープ(15)によって収縮気味になっているから、幼児の首まわりにフィットして風の侵入を防ぐことができる。
【００２２】
さらに、フード(40)のループ(41)をケープ本体(10)のボタン(42)に係止しておけば、幼児の顔に被さるおそれがなく安全である。
（使用例２）
図４に示す本使用例は、幼児用ケープ(1)をベビーカー(60)で使用するものである。
【００２３】
ベビーカー(10)は、Ｔ字形のシートベルト(61)によって幼児の腹部および両脚間を直接抑え、かつ腹部周りにはフレーム(62)が設けられている。
【００２４】
幼児用ケープ(1)は、クリップ(30)(30)を陽除け(63)の縁等に挟み留めて装着し、ケープ本体(10)をフレーム(62)の内側にくぐらせ、ケープ本体(10)の裾スリット(14)を開き、幼児の足を足入れ部(17)(18)内に挿入する。足を足入れ部(17)(18)内に入れることで保護するとともに防寒効果が得られる。また、裾スリット(14)を設けたことで足を拘束することなく、足入れ部(17)(18)内で自由に動かすことができる。
【００２５】
また、裾スリット(14)を開いておけば前記ケープ(1)をシートベルト(61)の内側に装着することもできる。
【００２６】
なお、本使用例では前記ケープ(1)をシートベルト(61)の外側に装着しているので、裾スリット(14)を閉じた状態でもケープ(1)を使用できる。しかし、ベビーカー(60)に腰掛けさせると幼児の足は開き気味になるため、裾スリット(14)を開いて足入れ部(17)(18)内に差し入れておけば、幼児の動きを妨げることなく裾の跳ね上がりを防止できる。
（使用例３）
図５に示す本使用例は、使用者がベビーキャリア(50)を装着して幼児を前抱きする場合について説明する。
【００２７】
前記幼児用ケープ(1)は、面ファスナ(20)(21)を係合させて裾スリット(14)を閉じ、左右のクリップ(30)(30)をベビーキャリア(50)のショルダーベルト(55)(55)に挟み留める。このとき、幼児の両足は真下に下がった状態になるので、足入れ部(17)(18)を用いなくて幼児を包み込むことができる。しかし、足入れ部(17)(18)に差し入れることによって幼児の動きを妨げることなく確実に裾の跳ね上がりを防止できる。
【００２８】
以上のように、本考案の幼児用ケープ(1)によれば、手数を掛けずに幼児の身体を足まで確実に覆うことができ、かつ足の動きも妨げない。
【００２９】
この考案の幼児用ケープは、上述の実施形態および使用方法に限定されない。
【００３０】
足入れ部は、本実施形態のように下端（裾側）を閉じた袋状に限定されず、下端が開口したものも本考案に含まれる。下端を閉じることにより、風の進入を防いで防寒性を高めることができる。また、足入れ部(17)(18)およびその開口部(17a)(18a)は必ずしもケープ本体の全幅に形成されている必要はないが、全幅に足入れ部を設けることでケープ本体(10)の下方部を補強することとなり、かつ足を動かせる範囲も拡がる。
【００３１】
幼児用ケープの装着対象としては、使用者が着用して幼児を抱持するためのベビーキャリア、ベビーカー、自動車に搭載するチャイルドシート、遊戯具等の種々の幼児収容具を例示できる。また、これらの幼児収容具における装着位置も何ら限定されない。さらに、前記ベビーキャリアの使用の有無にかかわらず、人が幼児を抱持する場合は人の衣服等にも装着可能であるから、人およびその着用物も装着対象に該当する。
【００３２】
上述の装着対象にケープを装着するための装着具の種類も限定されず、クリップ、ボタン、スナップ、バックル、ファスナー、紐留め等を例示できる。これらのうち、装着対象に装着具や加工を必要とせず、かつ挟み留めるだけで簡単に装着できるクリップを推奨できる。
【００３３】
また、ケープ本体およびフードの材質は適度な柔軟性を有するシート状のものであれば何ら限定されず、防寒用ケープとしては、フリースと称される起毛地、各種織物、パイル地、ニット地、フェルト地等の保温性の高い材料を例示できる。陽除け用ケープであれば薄くても遮光性の高い材料を推奨できる。また、雨除け用ケープであれば、基材に撥水加工を施したものや樹脂シート等も使用できる。
【００３４】
フードの有無は任意に選択できるが、フードによって防寒、陽除け、雨除け等の頭部の保護効果を高めることができる。また、フードは着脱可能とすることもできる。フードをケープ本体に係止することも任意であるが、ケープが幼児の胸側を覆う使用方法では、誤ってフードが幼児の顔にかかることがないように係止しておくことが好ましく、安全性を確保できる。また、係止具は図示例のループとボタンに限定されず、スナップ、面ファスナ等適宜使用できる。
【００３５】
裾スリットは、図示例のように持ち出しによって重なり部分を形成する、ベンツ開きと称されるスリットの他、単に裾から切り込みを設けるだけのスリットでも良い。前者の場合は、係合具で閉じていなくても隙間ができず見栄えが良い。後者の場合、ケープ本体を一枚布で構成でき、左右の半体部の縫合が不要であるから製作が簡単である。
【００３６】
ケープ本体におけるアームスリットの有無は任意である。アームスリットにより、幼児は手を出すことができて快適性が増す。
【００３７】
また、ケープ本体の上端縁の伸縮も任意である。伸縮可能とすることで幼児の首周りにフィットしやすく、隙間を防いで保護効果を高めることができる。また、装着対象の形状や幼児の体格に対して融通が利き、ケープの汎用性を高めることができる。
【００３８】
さらに、ケープ本体の左右の半体部の裾をそれぞれ筒状に形成すること、あるいはケープ本体の全幅を筒状に形成することも任意である。
【図面の簡単な説明】
【００３９】
【図１】この考案の幼児用ケープの一実施形態を外面側から見た斜視図である。
【図２】図１の幼児用ケープを外面側から見た斜視図である。
【図３】図１の幼児用ケープを横抱きで使用した状態を示す斜視図である。
【図４】図１の幼児用ケープをベビーカーで使用した状態を示す斜視図である。
【図５】図１の幼児用ケープを前抱きで使用した状態を示す斜視図である。
【符号の説明】
【００４０】
１…幼児用ケープ
10…ケープ本体
11…左半体部
12…右半体部
14…裾スリット
17、18…足入れ部
30…装着具
40…フード
【図１】
0003115088.tif 000003
【図２】
0003115088.tif 000004
【図３】
0003115088.tif 000005
【図４】
0003115088.tif 000006
【図５】
0003115088.tif 000007